(57)【要約】【課題】内部に浸入した水を安価な構成で効率的に外部に排水することができる充電コネクタを提供する。【解決手段】充電コネクタ１は、複数のソケット端子１１〜１５，３１，３２と、給電プラグと嵌合可能なプラグ嵌合部２０，４０と、プラグ嵌合部２０，４０を収容するハウジング５０とを備えている。ハウジング５０は、複数の基部６１〜６７を取り囲むように配置されるスペーサ部７０を備える。スペーサ部７０は、基部６１〜６７の周囲の空間を連通する共通流路空間８０を対向面５４と上側プラグ嵌合部２０との間に形成するように対向面５４からＺ方向に突出している。基部６１〜６７の高さは共通流路空間８０の高さよりも大きい。プラグ嵌合部２０の端子収容孔２１〜２７は、内部に浸入した水が共通流路空間８０に流れるように共通流路空間８０に連通している。スペーサ部７０には共通流路空間８０内の水を外部に排出するための排出口７１が形成されている。【選択図】図３
2017010652.tif 000002
【特許請求の範囲】
【請求項１】
ソケット延伸方向に沿って延びる複数のソケット端子と、
給電プラグと嵌合可能なプラグ嵌合部であって、前記複数のソケット端子を内部に収容するための複数の端子収容孔が形成されたプラグ嵌合部と、
前記プラグ嵌合部を収容するハウジングであって、
前記給電プラグに対向する対向面と、
前記プラグ嵌合部を包囲するように前記対向面から前記ソケット延伸方向に延びる側壁と、
前記複数のソケット端子の根元で前記対向面から前記ソケット延伸方向に突出する複数の基部と、
を有するハウジングと、
前記複数の基部を取り囲むように配置されるスペーサ部であって、前記複数の基部の周囲の空間を連通する共通流路空間を前記対向面と前記プラグ嵌合部との間に形成するスペーサ部と、
を備え、
前記複数の基部の前記ソケット延伸方向における高さは、前記共通流路空間の前記ソケット延伸方向における高さよりも大きく、
前記複数の端子収容孔は、該複数の端子収容孔の内部空間に浸入した水が前記共通流路空間に流れるように前記共通流路空間に連通しており、
前記スペーサ部には、前記共通流路空間内に流れ込んだ水を前記プラグ嵌合部の外部に排出するための排出口が形成されている、
ことを特徴とする充電コネクタ。
【請求項２】
前記スペーサ部は、前記ハウジングと一体的に形成されることを特徴とする請求項１に記載の充電コネクタ。
【請求項３】
前記プラグ嵌合部には、前記端子収容孔の内部空間に浸入した水を前記共通流路空間に導くスリットが形成されていることを特徴とする請求項１又は２に記載の充電コネクタ。
【請求項４】
前記プラグ嵌合部は、前記基部の外周面と間隔を置いて、外周面に沿って前記端子収容孔から前記対向面に向かって延びる延出部を含むことを特徴とする請求項１から３のいずれか一項に記載の充電コネクタ。
【請求項５】
前記ハウジングは、前記複数の基部の間で前記共通流路空間を仕切る仕切壁をさらに有することを特徴とする請求項１から４のいずれか一項に記載の充電コネクタ。
【請求項６】
前記仕切壁は、前記共通流路空間内を流れる水の流れの方向に沿って形成されていることを特徴とする請求項５に記載の充電コネクタ。
【請求項７】
前記ハウジング及び前記プラグ嵌合部は、前記ハウジング内で前記プラグ嵌合部の位置決めを行う複数の位置決め手段を備えることを特徴とする請求項１から６のいずれか一項に記載の充電コネクタ。
【請求項８】
前記ハウジング及び前記プラグ嵌合部は、前記ハウジングに前記プラグ嵌合部を固定する複数の固定手段を備え、
前記複数の固定手段のうち対応する２つの固定手段は、前記位置決め手段から等しい距離にある、
ことを特徴とする請求項７に記載の充電コネクタ。
【請求項９】
前記プラグ嵌合部には、前記スペーサ部の排出口に対応して切り欠きが形成されていることを特徴とする請求項１から８のいずれか一項に記載の充電コネクタ。
【発明の詳細な説明】
【技術分野】
【０００１】
本発明は、充電コネクタに係り、特に電気自動車やプラグインハイブリッドカーに設けられる充電コネクタに関するものである。
【背景技術】
【０００２】
近年、電気自動車やプラグインハイブリッドカーなど、駆動力の発生源として電気モータを用いた自動車の普及が進んでいる。これらの自動車には、電気モータに電力を供給する２次電池が搭載されており、必要に応じてこの２次電池を充電する必要がある。この２次電池の充電は、充電ケーブルの先端に設けられた給電プラグを車体に設けられた充電コネクタに接続することにより行われる。
【０００３】
通常、２次電池の充電は屋外で行われるため、給電プラグに付着した水が充電中に車体側の充電コネクタに浸入することも考えられる。そのような場合には、充電コネクタの端子間にリーク電流が流れて絶縁破壊が生じる可能性がある。このような端子間のリーク電流の発生を防止するために、給電プラグの端子が挿入されるプラグ挿入口のそれぞれに排水用の流路を形成した充電コネクタも提案されている（例えば、特許文献１参照）。この充電コネクタでは、給電プラグに付着した水がプラグ挿入口のそれぞれに対応して形成された流路を通って外部に排出されるため、給電プラグの端子間でのリーク電流の発生が防止される。
【０００４】
しかしながら、このような従来の充電コネクタでは、排水用の流路がそれぞれのプラグ挿入口に対して別個に形成されているため、流路の形状が複雑になる。このような複雑な形状の流路を形成するためには、複雑な金型が必要となり、金型のコストが上昇してしまうという問題があった。
【先行技術文献】
【特許文献】
【０００５】
【特許文献１】特開２０１３−１７８９４２号公報
【発明の概要】
【発明が解決しようとする課題】
【０００６】
本発明は、このような従来技術の問題点に鑑みてなされたもので、内部に浸入した水を安価な構成で効率的に外部に排水することができる充電コネクタを提供することを目的とする。
【課題を解決するための手段】
【０００７】
本発明の一態様によれば、内部に浸入した水を安価な構成で効率的に外部に排水することができる充電コネクタが提供される。この充電コネクタは、ソケット延伸方向に沿って延びる複数のソケット端子と、給電プラグと嵌合可能なプラグ嵌合部と、上記プラグ嵌合部を収容するハウジングとを備えている。上記プラグ嵌合部には、上記複数のソケット端子を内部に収容するための複数の端子収容孔が形成されている。上記ハウジングは、上記給電プラグに対向する対向面と、上記プラグ嵌合部を包囲するように上記対向面から上記ソケット延伸方向に延びる側壁と、上記複数のソケット端子の根元で上記対向面から上記ソケット延伸方向に突出する複数の基部とを有している。また、この充電コネクタは、上記複数の基部を取り囲むように配置されるスペーサ部を備えている。このスペーサ部は、上記複数の基部の周囲の空間を連通する共通流路空間を上記対向面と上記プラグ嵌合部との間に形成する。上記複数の基部の上記ソケット延伸方向における高さは、上記共通流路空間の上記ソケット延伸方向における高さよりも大きくなっている。上記複数の端子収容孔は、該複数の端子収容孔の内部空間に浸入した水が上記共通流路空間に流れるように上記共通流路空間に連通している。上記スペーサ部には、上記共通流路空間内に流れ込んだ水を上記プラグ嵌合部の外部に排出するための排出口が形成されている。
【０００８】
このような構成により、複数の端子収容孔の内部空間に浸入した水を１つの共通流路空間を介してプラグ嵌合部の外部に排出することができるので、水を排出するための流路を比較的簡単な形状とすることができる。したがって、流路を形成するための金型のコストを抑えることができ、内部に浸入した水を安価な構成で効率的に外部に排水することが可能となる。
【０００９】
上記スペーサ部は、上記ハウジングと一体的に形成されていてもよい。また、上記プラグ嵌合部には、上記端子収容孔の内部空間に浸入した水を上記共通流路空間に導くスリットが形成されていることが好ましい。さらに、上記プラグ嵌合部は、上記基部の外周面と間隔を置いて、外周面に沿って上記端子収容孔から上記対向面に向かって延びる延出部を含んでいることが好ましい。
【００１０】
上記ハウジングは、上記複数の基部の間で上記共通流路空間を仕切る仕切壁をさらに有していることが好ましい。この仕切壁は、上記共通流路空間内を流れる水の流れの方向に沿って形成されていることが好ましい。このような仕切壁によって、複数の基部の間の共通流路空間が仕切られることになるため、それぞれの基部に対応する端子収容孔から共通流路空間に流れてきた水が互いに接触しにくくなる。これにより、複数のソケット端子間でリーク電流が生じることを抑制することができる。
【００１１】
上記ハウジング及び上記プラグ嵌合部は、上記ハウジング内で上記プラグ嵌合部の位置決めを行う複数の位置決め手段を備えることが好ましい。また、上記ハウジング及び上記プラグ嵌合部は、上記ハウジングに上記プラグ嵌合部を固定する複数の固定手段を備えることが好ましい。この場合において、上記複数の固定手段のうち対応する２つの固定手段が上記位置決め手段から等しい距離にあることが好ましい。このように、複数の固定手段のうち対応する２の固定手段を位置決め手段から等しい距離に配置することによって、位置決め手段によってプラグ嵌合部の位置合わせを行った際に、対応する２つの固定手段の位置決めも同時に行うことができ、プラグ嵌合部のハウジングへの固定が容易になる。
【００１２】
上記プラグ嵌合部には、上記スペーサ部の排出口に対応して切り欠きが形成されていることが好ましい。
【発明の効果】
【００１３】
本発明によれば、複数の端子収容孔の内部空間に浸入した水を１つの共通流路空間を介してプラグ嵌合部の外部に排出することができるので、水を排出するための流路を比較的簡単な形状とすることができる。したがって、流路を形成するための金型のコストを抑えることができ、内部に浸入した水を安価な構成で効率的に外部に排水することが可能となる。
【図面の簡単な説明】
【００１４】
【図１】本発明の一実施形態における充電コネクタを示す斜視図である。
【図２】図１の充電コネクタの正面図である。
【図３】図１の充電コネクタから上側プラグ嵌合部を取り外した状態を示す斜視図である。
【図４】図３の正面図である。
【図５】図２のＡ−Ａ線断面の部分拡大図である。
【図６】図１の充電コネクタの上側プラグ嵌合部の正面図である。
【図７】図６の上側プラグ嵌合部の背面図である。
【図８】図６の上側プラグ嵌合部の正面斜め下方から見た斜視図である。
【図９】図６の上側プラグ嵌合部の背面斜め下方から見た斜視図である。
【図１０】図２のＢ−Ｂ線での切断面を示す斜視図である。
【図１１】図４における水の流れを模式的に示す図である。
【発明を実施するための形態】
【００１５】
以下、本発明に係る充電コネクタの実施形態について図１から図１１を参照して詳細に説明する。なお、図１から図１１において、同一又は相当する構成要素には、同一の符号を付して重複した説明を省略する。また、図１から図１１においては、各構成要素の縮尺や寸法が誇張されて示されている場合や一部の構成要素が省略されている場合がある。
【００１６】
図１は一実施形態における充電コネクタ１を示す斜視図、図２は正面図である。図１及び図２に示すように、本実施形態における充電コネクタ１は、Ｚ方向（ソケット延伸方向）に沿って延びる５本のソケット端子１１〜１５と、これらのソケット端子１１〜１５を収容する上側プラグ嵌合部２０と、Ｚ方向に沿って延びる２本のソケット端子３１，３２と、これらのソケット端子３１，３２を収容する下側プラグ嵌合部４０と、上側プラグ嵌合部２０及び下側プラグ嵌合部４０を内部に収容するハウジング５０とを備えている。上側プラグ嵌合部２０及び下側プラグ嵌合部４０は、充電ケーブルの先端に設けられた給電プラグ（図示せず）に嵌合するように構成されている。
【００１７】
ハウジング５０は、プラグ嵌合部２０，４０を取り囲むようにＺ方向に延びる側壁５１と、側壁５１からＸＹ平面に延びるフランジ部５２とを備えている。それぞれのフランジ部５２には固定孔５３が形成されており、この固定孔５３にネジなどを挿通することにより充電コネクタ１を電気自動車やプラグインハイブリッドカーの車体に取り付けることができるようになっている。
【００１８】
図１及び図２に示すように、上側プラグ嵌合部２０は、Ｚ方向に延びる円筒のＹ方向の端部をＸＺ平面で切り取った外形を有している。この上側プラグ嵌合部２０は、ハウジング５０に対して着脱自在に取り付けられている。本実施形態の上側プラグ嵌合部２０には７個の端子収容孔２１〜２７が形成されており、これらの端子収容孔２１〜２７のうち端子収容孔２１〜２５の内部空間にソケット端子１１〜１５が収容されている。なお、端子収容孔２１〜２７のＸＹ平面における外形は円形となっている。
【００１９】
下側プラグ嵌合部４０は、Ｘ方向に細長い長円がＺ方向に延びた筒状体の外形を有している。この下側プラグ嵌合部４０は、上側プラグ嵌合部２０と異なり、ハウジング５０と一体的に形成されている。本実施形態において、下側プラグ嵌合部４０には２個の端子収容孔４１，４２が形成されており、これらの端子収容孔４１，４２の内部空間にソケット端子３１，３２が収容されている。なお、端子収容孔４１，４２のＸＹ平面における外形は円形となっている。
【００２０】
図１及び図２に示すように、本実施形態においては、上側プラグ嵌合部２０の端子収容孔２６，２７にはソケット端子が収容されていないが、これらの端子収容孔２６，２７に追加のソケット端子を収容するようにしてもよく、あるいは端子収容孔２１〜２５，４１，４２に収容されているソケット端子１１〜１５，３１，３２のうち１つ以上を省略してもよい。
【００２１】
図２に示すように、上側プラグ嵌合部２０の端子収容孔２３〜２７の直径はそれらの上方に位置する端子収容孔２１，２２の直径よりも大きくなっており、下側プラグ嵌合部４０の端子収容孔４１，４２の直径は上側プラグ嵌合部２０の端子収容孔２３〜２７の直径よりもさらに大きくなっている。これらの端子収容孔２１〜２７，４１，４２、ソケット端子１１〜１５，３１，３２、プラグ嵌合部２０，４０の形状、数、及び配置は、所定の規格に従って決められる。
【００２２】
図２に示すように、ハウジング５０は、側壁５１の内側にＸＹ平面に沿って延びる対向面５４，５５を有している。これらの対向面５４，５５を上述した給電プラグに対向させた状態で給電プラグをプラグ嵌合部２０，４０に嵌合させることで、給電プラグを充電コネクタ１に接続することができる。なお、後述するように、対向面５４のＺ方向の位置と対向面５５のＺ方向の位置は異なっており、これらの間に段差が形成されている。
【００２３】
図３は充電コネクタ１から上側プラグ嵌合部２０を取り外した状態を示す斜視図であり、図４は図３の正面図である。図３及び図４に示すように、ハウジング５０は、対向面５４からＺ方向に突出する円柱状の基部６１〜６７を有している。これらの基部６１〜６７のうち基部６１〜６５は、対応するソケット端子１１〜１５の根元に配置されており、上述したソケット端子１１〜１５が基部６１〜６５の略中央からＺ方向に延びている。
【００２４】
また、ハウジング５０は、上述した基部６１〜６７の外側に配置されたスペーサ部７０を有している。このスペーサ部７０は、対向面５４からＺ方向に突出する壁により構成されており、基部６１〜６７を取り囲むようにＸＹ平面上を上側プラグ嵌合部２０の外形に沿って延びている。後述するように、このスペーサ部７０によって、対向面５４と上側プラグ嵌合部２０との間に、基部６１〜６７の周囲の空間を互いに連通する１つの共通流路空間８０が形成される。
【００２５】
スペーサ部７０の最下部には、後述するように共通流路空間８０に流れ込んだ水を排出するための排出口７１が形成されている。また、スペーサ部７０には、Ｙ軸に関して対称な位置にネジ挿通孔７２が４つ形成されており、これらのネジ挿通孔７２には上側プラグ嵌合部２０をハウジング５０に取り付けるためのネジ（図示せず）が挿通される。
【００２６】
また、ハウジング５０は、対向面５４からＺ方向に延びるように立設されたガイドポスト７３，７３を有している。これらのガイドポスト７３，７３は、共通流路空間８０内のＸ方向中央の上部と下部に形成され、ハウジング５０に取り付ける上側プラグ嵌合部２０を位置決めするために用いられる。
【００２７】
さらに、ハウジング５０は、対向面５４からＺ方向に突出する仕切壁７４〜７７を有している。仕切壁７４は、基部６１と基部６２との間でＹ方向に延びるように形成されており、基部６１と基部６２との間で共通流路空間８０をＸ方向に仕切る役割を有する。仕切壁７５は、基部６３と基部６４との間でＹ方向に延びるように形成されており、基部６３と基部６４との間で共通流路空間８０をＸ方向に仕切る役割を有する。仕切壁７６は、基部６４と基部６５との間でＹ方向に延びるように形成されており、基部６４と基部６５との間で共通流路空間８０をＸ方向に仕切る役割を有する。仕切壁７７は、基部６６と基部６７との間でＹ方向に延びるように形成されており、基部６６と基部６７との間で共通流路空間８０をＸ方向に仕切る役割を有する。
【００２８】
図５は図２のＡ−Ａ線断面の部分拡大図、図６は上側プラグ嵌合部２０の正面図、図７は背面図、図８は正面斜め下方から見た斜視図、図９は背面斜め下方から見た斜視図である。図５及び図６に示すように、上側プラグ嵌合部２０の端子収容孔２１〜２７のＺ方向の端部には、端子収容孔２１〜２７の内周壁から径方向内側に向かって延びる底部９０が形成されている。
【００２９】
図６、図７、及び図９に示すように、底部９０には、上述した基部６１〜６７を挿通させる円形の挿通孔９１〜９７と、端子収容孔２１〜２７の内部空間に浸入した水を上述した共通流路空間８０（図４参照）に導くためのスリット１０１〜１０７とが形成されている。また、図５及び図９に示すように、上側プラグ嵌合部２０は、底部９０の内周縁からＺ方向に対向面５４に向かって延びる延出部１１０を有している。図５に示すように、これらの延出部１１０は、対応する基部６１〜６７の外周面から間隔を置いて、対応する基部６１〜６７の外周面に沿ってＺ方向に延びている。なお、図９に示すように、これらの延出部１１０は、挿通孔９１〜９７の内周縁に形成されているが、スリット１０１〜１０７の部分には形成されていない。
【００３０】
図７から図９に示すように、上側プラグ嵌合部２０の背面下部には、上述したスペーサ部７０の排出口７１（図４参照）に対応して切り欠き１２０が形成されている。これにより、共通流路空間８０を流れる水は、スペーサ部７０の排出口７１及び上側プラグ嵌合部２０の切り欠き１２０を通って上側プラグ嵌合部２０の外部に排出されるようになっている。
【００３１】
また、上側プラグ嵌合部２０の背面には、上述したハウジング５０のガイドポスト７３，７３に対応してガイド孔１２２，１２２が形成されている。これらのガイド孔１２２，１２２にハウジング５０のガイドポスト７３，７３を挿入することにより、上側プラグ嵌合部２０をハウジング５０に対して位置決めすることができ、上側プラグ嵌合部２０を適切な位置に固定することができる。すなわち、ハウジング５０のガイドポスト７３，７３及び上側プラグ嵌合部２０のガイド孔１２２，１２２は、ハウジング５０内でプラグ嵌合部２０の位置決めを行う位置決め手段として機能する。なお、本実施形態では、ハウジング５０にガイドポスト７３，７３を設け、上側プラグ嵌合部２０のガイド孔１２２，１２２を形成しているが、上側プラグ嵌合部２０にガイドポストを設け、ハウジング５０にガイド孔を形成してもよい。
【００３２】
さらに、上側プラグ嵌合部２０の背面には、上述したスペーサ部７０に形成された４つのネジ挿通孔７２に対応して４つのネジ固定孔１２４が形成されている。ハウジング５０の背面からスペーサ部７０に形成されたネジ挿通孔７２にネジを挿通させ、これらのネジを上側プラグ嵌合部２０のネジ固定孔１２４に螺合させることで上側プラグ嵌合部２０をハウジング５０に固定することができる。すなわち、スペーサ部７０のネジ挿通孔７２、上側プラグ嵌合部２０のネジ固定孔１２４、及びネジ固定孔１２４に螺合されるネジは、ハウジング５０にプラグ嵌合部２０を固定する固定手段として機能する。
【００３３】
ここで、４つのネジ挿通孔７２（ネジ固定孔１２４）のうち、ガイドポスト７３を挟む位置にある２つのネジ挿通孔７２（ネジ固定孔１２４）は、そのガイドポスト７３（ガイド孔１２２）からそれぞれ等しい距離に位置している。したがって、ガイドポスト７３，７３の位置とガイド孔１２２，１２２の位置とを合わせると、それぞれのネジ挿通孔７２の位置とネジ固定孔１２４の位置とが揃うこととなるので、ネジ固定孔１２４にネジを螺合させることが容易になる。
【００３４】
図１及び図２に戻って、下側プラグ嵌合部４０の下部には、端子収容孔４１の内部空間と下側プラグ嵌合部４０の外部空間とを連通するスリット４５と、端子収容孔４２の内部空間と下側プラグ嵌合部４０の外部空間とを連通するスリット４６とが形成されている。また、図２に示すように、下側プラグ嵌合部４０の下方に位置する対向面５５の領域には、上方から流れてきた水を排水するための排水孔１３０が形成されている。この排水孔１３０にはＺ方向に延びる排水管１３２が接続されている。
【００３５】
図１０は、図２のＢ−Ｂ線での切断面を示す斜視図である。理解を容易にするために、図１０においては仕切壁７７及び下方のガイドポスト７３の図示は省略している。図１０に示すように、充電コネクタ１は、給電プラグを接続しやすいように、Ｙ軸が鉛直方向に対して少し傾斜するように車体に取り付けられている。このような構成の充電コネクタ１において、例えば、給電プラグに付着した水が上側プラグ嵌合部２０の端子収容孔２４の内部空間に浸入したと仮定する。端子収容孔２４の内部空間に浸入した水は端子収容孔２４の内周面を伝って底部９０の最も低い場所であるスリット１０４に向けて流れる（矢印Ｆ1参照）。スリット１０４に向かって流れてきた水は、スリット１０４を通って共通流路空間８０に流れ込み、より低い位置に向かって流れる（矢印Ｆ2参照）。
【００３６】
このとき、図１１に示すように、共通流路空間８０に流れ込んだ水は、スリット１０４の下方に位置する仕切壁７７によって左右に分かれて（矢印Ｆ3参照）、仕切壁７７に沿って下方に流れて（矢印Ｆ4参照）、排出口７１及び切り欠き１２０を通って上側プラグ嵌合部２０の外部に排出される（矢印Ｆ5参照）。このとき、図１０に示すように、上側プラグ嵌合部２０が取り付けられた対向面５４と下側プラグ嵌合部４０が取り付けられた対向面５５との間には段差が形成されているので、上側プラグ嵌合部２０から排出された水は、矢印Ｆ6で示すように対向面５４から対向面５５に流れ落ちる。対向面５５に流れ落ちた水は、下側プラグ嵌合部４０の周囲を流れて（図１１の矢印Ｆ7及びＦ8参照）、排水孔１３０に至り、排水孔１３０から排水管１３２を通って外部に排出される（図１０の矢印Ｆ9参照）。
【００３７】
同様にして、他の端子収容孔２１〜２３，２５〜２７の内部空間に浸入した水も、共通流路空間８０に流れ込んだ後、排出口７１及び切り欠き１２０を通って上側プラグ嵌合部２０の外部に排出され、下側プラグ嵌合部４０の周囲を流れて排水孔１３０から排水管１３２を通って外部に排出される。
【００３８】
このように、本実施形態では、基部６１〜６７の外側に配置されるスペーサ部７０によって対向面５４と上側プラグ嵌合部２０との間に共通流路空間８０が形成され、この共通流路空間８０によって基部６１〜６７の周囲の空間が連通される。そして、端子収容孔２１〜２７がスリット１０１〜１０７を介してこの共通流路空間８０に連通される。したがって、端子収容孔２１〜２７の内部空間に浸入した水をスリット１０１〜１０７を介して共通流路空間８０に導いて、排出口７１及び切り欠き１２０から上側プラグ嵌合部２０の外部に排出することができる。そして、上側プラグ嵌合部２０から排出された水は、上述したように下側プラグ嵌合部４０の周囲を流れた後、排水孔１３０及び排水管１３２を通って外部に排出される。
【００３９】
このとき、基部６１〜６７のＺ方向の高さは共通流路空間８０のＺ方向の高さよりも高くなっているので、基部６１〜６５から延びるソケット端子１１〜１５が水に接触することを防止することができる。したがって、複数の端子収容孔２１〜２７のそれぞれの内部空間から１つの共通流路空間８０に水が流れ込んでも、ソケット端子１１〜１５間でリーク電流が生じることが抑制される。
【００４０】
このように、本実施形態では、複数の端子収容孔２１〜２７の内部空間に浸入した水を１つの共通流路空間８０を介して上側プラグ嵌合部２０の外部に排出することができるので、水を排出するための流路を比較的簡単な形状とすることができる。したがって、流路を形成するための金型のコストを抑えることができ、内部に浸入した水を安価な構成で効率的に外部に排水することができる。
【００４１】
また、特許文献１に開示された方法では、排水用の流路をそれぞれのプラグ挿入口に対して別個に形成しているため、（例えば、本実施形態における中央の端子収容孔２４のように）他のプラグ挿入口に取り囲まれているプラグ挿入口がある場合には、その取り囲まれたプラグ挿入口に対して流路を形成する空間を確保することが難しくなる。これに対して、本実施形態では、複数の端子収容孔２１〜２７の内部空間に浸入した水を１つの共通流路空間８０を介して上側プラグ嵌合部２０の外部に排出するようにしているため、他の端子収容孔２１〜２３，２５〜２７に取り囲まれた端子収容孔２４に対しても容易に流路を形成することができる。
【００４２】
また、本実施形態では、Ｘ方向に隣り合う基部６１〜６７間の共通流路空間８０が仕切壁７４〜７７によって仕切られているため、それぞれの基部６１〜６７に対応する端子収容孔２１〜２７から共通流路空間８０に流れてきた水が互いに接触しにくくなっており、ソケット端子１１〜１５間でリーク電流が生じることが抑制される。
【００４３】
なお、水が端子収容孔２１〜２７ではなく上側プラグ嵌合部２０の上方や側方に浸入した場合には、図１１の矢印Ｆ10に示すように上側プラグ嵌合部２０の周囲の対向面５４上を流れ、対向面５５に流れた落ちた後、上記と同様にして排水孔１３０及び排水管１３２を通って外部に排出される。また、下側プラグ嵌合部４０の端子収容孔４１，４２に水が浸入した場合には、浸入した水が下側プラグ嵌合部４０に形成されたスリット４５，４６から下側プラグ嵌合部４０の外部に排出され、排水孔１３０及び排水管１３２を通って外部に排出される。
【００４４】
なお、本実施形態では、スペーサ部７０がハウジング５０と一体的に形成されているが、例えば、スペーサ部７０を上側プラグ嵌合部２０と一体的に形成してもよいし、あるいはスペーサ部７０をハウジング５０や上側プラグ嵌合部２０とは別の部材により構成してもよい。
【００４５】
これまで本発明の好ましい実施形態について説明したが、本発明は上述の実施形態に限定されず、その技術的思想の範囲内において種々異なる形態にて実施されてよいことは言うまでもない。
【符号の説明】
【００４６】
１    充電コネクタ
１１〜１５    ソケット端子
２０    上側プラグ嵌合部
２１〜２７    端子収容孔
３１，３２    ソケット端子
４０    下側プラグ嵌合部
４１，４２    端子収容孔
４５，４６    スリット
５０    ハウジング
５１    側壁
５２    フランジ部
５３    固定孔
５４，５５    対向面
６１〜６７    基部
７０    スペーサ部
７１    排出口
７２    ネジ挿通孔
７３    ガイドポスト
７４〜７７    仕切壁
８０    共通流路空間
９０    底部
９１〜９７    挿通孔
１０１〜１０７  スリット
１１０  延出部
１２０  切り欠き
１２２  ガイド孔
１２４  ネジ固定孔
１３０  排水孔
１３２  排水管
【図１】
2017010652.tif 000003
【図２】
2017010652.tif 000004
【図３】
2017010652.tif 000005
【図４】
2017010652.tif 000006
【図５】
2017010652.tif 000007
【図６】
2017010652.tif 000008
【図７】
2017010652.tif 000009
【図８】
2017010652.tif 000010
【図９】
2017010652.tif 000011
【図１０】
2017010652.tif 000012
【図１１】
2017010652.tif 000013